(57)【要約】【課題】集合玄関のオートロックドアが開くと、エレベーターを利用して集合玄関階床から訪問階床にのみ、訪問客を円滑に移動させ得る集合住宅用防犯システムの提供を目的とする。【解決手段】上記課題は、住居人が訪問客を集合住宅内に入れることを許可するための暗証番号を送信することで、オートロックドア２を開かせると共に、乗りかごを集合玄関階床に移動させ、かつ、その乗りかごに乗り込めるように一定時間だけ集合玄関階床の乗場呼び釦１８の操作無効が解除され、しかも、訪問階床に乗りかごを移動させるために、行先階登録釦１９の訪問階床に該当する登録釦の操作無効が、一定時間だけ解除されるようにエレベーター８を制御することで、達成できる。【選択図】図１
2005212940.tif 000002
【特許請求の範囲】
【請求項１】
集合住宅における集合玄関に設けたオートロックドアと、このオートロックドアを開錠するために集合玄関近傍に設置された集合玄関遠隔開錠装置と、集合住宅の各住居内に設置された住居人用電話機と、この住居人用電話機に電気通信回線で接続されて集合玄関近傍に設置された共用電話機と、集合住宅内に設置された複数階床からなるエレベーターの運転を制御するエレベーター運転制御装置と、前記エレベーターの乗りかご内に設置された乗りかご内個人認証装置と、集合玄関階床のエレベーター用乗場に設置された乗場用個人認証装置を、少なくとも備えてなる集合住宅用防犯システムにおいて、前記集合玄関遠隔開錠装置を、前記住居人用電話機から送信されてきた暗証番号と予め登録された複数の数字の並びとが一致した場合に前記オートロックドアの開錠指令を送信し、かつ、前記暗証番号に付加された階床情報を出力する暗証番号識別手段と、前記開錠指令を受信することで前記オートロックドアを開錠させるドア開錠処理手段と、前記階床情報が入力されることでその階床情報に基づく運転指令を送信するエレベーター指令送信手段を有する構成にすると共に、前記エレベーター運転制御装置が前記運転指令を受信することで、前記乗りかごを集合玄関階床に移動させ、かつ、その乗りかごに乗り込めるように一定時間だけ集合玄関階床の乗場呼び釦の操作無効が解除され、しかも、訪問階床に前記乗りかごを移動させるために、行先階登録釦の訪問階床に該当する登録釦の操作無効が一定時間だけ解除されるようにエレベーターを制御することを特徴とする集合住宅用防犯システム。
【請求項２】
前記集合玄関遠隔開錠装置に集合玄関個人認証手段を設け、この集合玄関個人認証手段に住居人が所持している個人認証用携帯カードをセットすることで、前記オートロックドアを開錠させると共に、前記乗場用個人認証装置に、個人認証用携帯カードをセットすることで、集合玄関階床の乗場呼び釦の操作無効状態を一定時間解除させ、しかも、前記乗りかご内個人認証装置に個人認証用携帯カードをセットすることで、エレベーターの乗りかご内の行先階登録釦の操作無効状態を一定時間解除させる構成にしたことを特徴とする請求項１記載の集合住宅用防犯システム。
【請求項３】
前記階床情報は、住居人の自宅のある階床を示す数字とし、しかも、その階床を示す数字が、前記暗証番号を示す複数の数字の並びの所定の位置に含まれるようにしたことを特徴とする請求項１若しくは２記載の集合住宅用防犯システム。
【発明の詳細な説明】
【技術分野】
【０００１】
本発明は、エレベーターを備えた集合住宅に好適な集合住宅用防犯システムに関するものである。
【背景技術】
【０００２】
従来、集合住宅用防犯システムとしては、訪問者が集合住宅の共用玄関に設置されている呼び出し装置から電話網で、集合住宅内の訪問宅の住居人を呼び出した後、その訪問宅の住居人が、共用玄関に設けたオートロックドアの開錠信号をテレコントロール装置に送信することで、共用玄関に設けたオートロックドアを一時的に開くようにしたものが知られていた（例えば、特許文献１参照）。
【特許文献１】特開２００２−１９４９３６号公報（段落番号００１８〜００３０、図１）
【発明の開示】
【発明が解決しようとする課題】
【０００３】
しかしながら、上述した特開２００２−１９４９３６号公報に記載された集合住宅用防犯システムでは、訪問宅の住居人がオートロックドアの開錠信号を送信することで、訪問者が集合住宅の共用玄関内に入ることはできるが、集合住宅にエレベーターが備えられて、そのエレベーターが防犯のために、エレベーターの乗場呼び釦及びエレベーターの乗りかご内の行先階登録釦を操作無効にしていた場合には、訪問者が訪問宅に行くためには内階段を利用するしかなく、訪問者にとっては極めて不便であるし、かつ、内階段のない集合住宅にあっては、訪問者が訪問宅に到達できないという問題が発生することになる。また、エレベーターの乗場呼び釦及びエレベーターの乗りかご内の行先階登録釦を操作無効にしない状態の場合には、訪問者が誤って訪問宅以外の自宅に、エレベーターの乗りかごを利用して、行ってしまうという問題が発生することになる。
【０００４】
本発明の目的は、上述の問題点にかんがみ、エレベーターが防犯のために、エレベーターの乗場呼び釦及びエレベーターの乗りかご内の行先階登録釦を操作無効にしていても、集合住宅内の住居人の訪問客を、集合玄関階床から訪問階床にのみ、円滑に移動させることを可能にする集合住宅用防犯システムを提供することにある。
【０００５】
上記目的を達成するために、本発明は、集合住宅における集合玄関に設けたオートロックドアと、このオートロックドアを開錠するために集合玄関近傍に設置された集合玄関遠隔開錠装置と、集合住宅の各住居内に設置された住居人用電話機と、この住居人用電話機に電気通信回線で接続されて集合玄関近傍に設置された共用電話機と、集合住宅内に設置された複数階床からなるエレベーターの運転を制御するエレベーター運転制御装置と、前記エレベーターの乗りかご内に設置された乗りかご内個人認証装置と、集合玄関階床のエレベーター用乗場に設置された乗場用個人認証装置を、少なくとも備えてなる集合住宅用防犯システムにおいて、前記集合玄関遠隔開錠装置を、前記住居人用電話機から送信されてきた暗証番号と予め登録された複数の数字の並びとが一致した場合に前記オートロックドアの開錠指令を送信し、かつ、前記暗証番号に付加された階床情報を出力する暗証番号識別手段と、前記開錠指令を受信することで前記オートロックドアを開錠させるドア開錠処理手段と、前記階床情報が入力されることでその階床情報に基づく運転指令を送信するエレベーター指令送信手段を有する構成にすると共に、前記エレベーター運転制御装置が前記運転指令を受信することで、前記乗りかごを集合玄関階床に移動させ、かつ、その乗りかごに乗り込めるように一定時間だけ集合玄関階床の乗場呼び釦の操作無効が解除され、しかも、訪問階床に前記乗りかごを移動させるために、行先階登録釦の訪問階床に該当する登録釦の操作無効が一定時間だけ解除されるようにエレベーターを制御することを特徴としている。
【発明の効果】
【０００６】
本発明によれば、住居人が訪問客を集合住宅内に入れることを許可するための暗証番号を送信することで、乗りかごが集合玄関階床に移動し、かつ、集合玄関階床の乗場呼び釦及び行先階登録釦の訪問階床に該当する登録釦の操作無効が一定時間だけ解除されるので、訪問客を、エレベーターを利用して訪問階床のみに、円滑に移動させることのできる集合住宅用防犯システムを提供できた。
【発明を実施するための最良の形態】
【０００７】
以下、本発明に係る集合住宅用防犯システムの一実施形態を、図１及び図２に基づいて説明する。図１は、本発明の一実施形態に係わる集合住宅用防犯システムの概略構成図である。図２は、本発明の一実施形態に係わる集合住宅用防犯システムに用いられる集合玄関遠隔開錠装置の機能ブロック図である。
【０００８】
図１に示す一実施形態の集合住宅用防犯システム１は、集合住宅における集合玄関に設けたオートロックドア２と、このオートロックドア２を開錠するために集合玄関近傍に設置された集合玄関遠隔開錠装置３と、集合住宅の各住居４（以下、自宅４と称する）内に設置されたプュシュ式の住居人用電話機５と、この住居人用電話機５に公衆回線６などの電気通信回線で接続されて集合玄関近傍に設置されたプュシュ式の共用電話機７と、集合住宅内に設置された複数階床からなるエレベーター８の運転を制御するエレベーター運転制御装置９と、エレベーター８の乗りかご１０内に設置された乗りかご内個人認証装置１１と、集合玄関のある階床におけるエレベーター用乗場１２（以下、乗場１２と称する）に設置された乗場用個人認証装置１３を、少なくとも備えた構成になっている。集合玄関に設けたオートロックドア２は、オートロックドア２の集合住宅内側から集合住宅外側に、住居人若しくはその住居人への訪問客が出る場合には、その住居人若しくは訪問客を人体センサなどにより検知することによって、一定時間開くようにしてある。ここで、集合住宅とは、マンション、アパート、独身寮、単身赴任寮などが含まれる。また、集合玄関とは、集合住宅の共用玄関を示す。住居人とは、集合住宅の自宅４で生活している人をいう。
【０００９】
集合玄関遠隔開錠装置３は、図２に示すように、集合玄関個人認証手段１４と暗証番号識別手段１５と、ドア開錠処理手段１６と、エレベーター指令送信手段１７とを、少なくとも備えている。集合玄関個人認証手段１４は、集合住宅の住居人がオートロックドア２を開錠するための個人認証を行うものである。暗証番号識別手段１５は、集合住宅の各自宅４内に設置された住居人用電話機５から公衆回線などの電気通信回線６を介して送信されてくる暗証番号及びこの暗証番号に付加された階床情報を識別するものである。そして、暗証番号識別手段１５は、識別の結果、予め登録された複数の数字の並びと暗証番号が一致した場合にのみ、ドア開錠処理手段１６に対してオートロックドア２の開錠指令を送信すると共に、暗証番号に付加された階床情報をエレベーター指令送信手段１７に入力するものである。ドア開錠処理手段１６は、暗証番号識別手段１５から開錠指令が送信されてくると、オートロックドア２の駆動回路を閉成させるとともに、オートロックドア２を開錠させることで、オートロックドア２を開かせる。エレベーター指令送信手段１７は、暗証番号識別手段１５から送信されてきた階床情報に基づく運転指令を、エレベーター運転制御装置９に送信するものである。ここで、暗証番号は、例えば、オートロックドア２を開錠するための開錠番号を示す数字と住居人の自宅の番号を示す数字とからなり、適宜に変更することが可能である。暗証番号に付加された階床情報を示す数字は、例えば、住居人の自宅のある階床を示す数字からなる。そして、その階床情報を示す数字は、暗証番号を示す複数の数字の並びの所定の位置に含まれるようにしてある。
【００１０】
集合住宅内に設置されたエレベーター８の各階床の乗場１２には、図２に示すように、乗場呼び釦１８がそれぞれ設けられている。エレベーター８の乗りかご１０内には、行先階登録釦１９が設けられている。エレベーター運転制御装置９は、機械室２０に設置されている。乗りかご内個人認証装置１１とエレベーター運転制御装置９は、第１通信線２１で接続されている。乗場用個人認証装置１３とエレベーター運転制御装置９は、第２通信線２２で接続されている。集合玄関遠隔開錠装置３のエレベーター指令送信手段１７とエレベーター運転制御装置９は、第３通信線２３で接続されている。ドア開錠処理手段１６とオートロックドア２の駆動回路及び開錠回路（図示せず）は、第４通信線２４で接続されている。オートロックドア２は、オートロックドア２の集合住宅内側から集合住宅外側に住居人若しくは訪問客が出る場合には、その住居人若しくは訪問客を人体センサなどにより検知することによって、一定時間開くようにしてある。エレベーター指令送信手段１７からの運転指令をエレベーター運転制御装置９が受信すると、エレベーター運転制御装置９により、乗りかご１０を集合玄関のある階床（以下、集合玄関階床と称する）に移動させ、かつ、その乗りかご１０に乗り込めるように一定時間だけ集合玄関階床の乗場呼び釦１８の操作無効が解除され、しかも、訪問客が訪問する自宅のある階床（以下、訪問階床と称する）に乗りかご１０を移動させるために、行先階登録釦１９の訪問階床に該当する登録釦の操作無効が、一定時間だけ解除される。
【００１１】
以上の構成からなる集合住宅用防犯システム１を採用した集合住宅では、住居人が所持している個人認証用携帯カードを、集合玄関遠隔開錠装置３の集合玄関個人認証手段１４にセットすることで、集合玄関のオートロックドア２が開錠して開くので、住居人は、集合住宅の集合玄関階床に入ることができる。次いで、集合住宅の集合玄関階床に入った住居人は、集合玄関階床の乗場用個人認証装置１３に個人認証用携帯カードをセットすることで、集合玄関階床の乗場呼び釦１８の操作無効状態を一定時間解除させることにより、エレベーター８の乗りかご１０に乗ることができる。次いで、エレベーターの乗りかご１０に乗った住居人は、乗りかご内個人認証装置１１に個人認証用携帯カードをセットすることで、行先階登録釦１９の操作無効状態を一定時間解除させることにより、住居人の自宅のある階床に乗りかご１０を移動させることができる。このようにして、集合住宅の住居人は、集合玄関階床から自宅４のある階床まで、エレベーター８を利用して、円滑に、移動することができる。
【００１２】
次に、集合住宅の住居人への訪問客があった場合には、その訪問客は、共用電話機７を利用して訪問する住居人の自宅４の住居人用電話機５に電話連絡する。訪問の連絡を受けた住居人は、訪問客を集合住宅内に入れることを許可する場合には、住居人用電話機５を使用して、暗証番号を暗証番号識別手段１５に送信する。次いで、暗証番号を受信した暗証番号識別手段１５では、その暗証番号識別手段１５に予め登録された複数の数字の並びと住居人用電話機５から送信されてきた暗証番号が一致した場合には、ドア開錠処理手段１６に対してオートロックドア２の開錠指令を送信すると共に、暗証番号に付加された階床情報がエレベーター指令送信手段１７に入力される。
【００１３】
次いで、暗証番号識別手段１５からのオートロックドア２の開錠指令をドア開錠処理手段１６が受信すると、ドア開錠処理手段１６からの指令によりオートロックドア２の駆動回路及び開錠回路を閉成させてオートロックドア２を一定時間だけ開かせると共に、エレベーター指令送信手段１７に階床情報が入力されると、その階床情報に基づく運転指令が、エレベーター指令送信手段１７からエレベーター運転制御装置８に送信される。
【００１４】
次いで、運転指令をエレベーター運転制御装置８が受信すると、そのエレベーター運転制御装置８により、乗りかご１０を集合玄関階床に移動させ、かつ、その乗りかご１０に乗り込めるように一定時間だけ集合玄関階床の乗場呼び釦１８の操作無効が解除され、しかも、訪問階床に乗りかご１０を移動させるために、行先階登録釦１９の訪問階床に該当する登録釦の操作無効が、一定時間だけ解除される。したがって、訪問客は、集合玄関階床から訪問階床まで、エレベーター８を利用して、円滑に移動することができる。この場合、訪問階床以外の階床には、乗りかご１０が移動しないので、訪問客が間違って、訪問階床以外の階床に降りてしまうことがない。
【００１５】
次に、訪問客が訪問した自宅４から退去する場合には、集合玄関階床以外の乗場呼び釦１８の操作を有効としておくことにより、訪問階床の乗場呼び釦を押すことで、訪問階床に乗りかご１０を呼び寄せる。次いで、乗りかご１０内の行先階登録釦１９のうち、集合玄関階床に該当する登録釦のみ操作を有効としておくことにより、その乗りかご１０に乗り込んだ訪問客がその登録釦押すことで、乗りかご１０が集合玄関階床にのみ移動する。したがって、訪問客は、訪問階床から集合玄関階床まで、他の階床に停止することなく、エレベーター８を利用して、円滑に移動でき、集合玄関から退去できる。
【００１６】
上述のように構成した集合住宅用防犯システム１によれば、住居人は、集合玄関遠隔開錠装置３の集合玄関個人認証手段１４に個人認証用携帯カードをセットすることで、集合玄関階床に入ることができ、しかも、集合玄関階床に入った住居人は、乗りかご内個人認証装置１１と集合玄関階床の乗場用個人認証装置１３に、個人認証用携帯カードをセットすることで、エレベーター８を利用して、集合玄関階床から訪問階床まで、難なく移動することができる。
【００１７】
さらに、上述のように構成した集合住宅用防犯システム１によれば、集合住宅の住居人が自宅４から暗証番号を送信することで、オートロックドア２を開かせて集合玄関階床に訪問客を入れることができ、しかも、エレベーター８の乗りかご１０に乗って集合玄関階床から訪問階床にのみ、訪問客を円滑に移動させることができ、訪問客が間違って訪問階床以外の階床に行くことがない。そして、オートロックドア２が開くと、乗りかご１０が集合玄関階床に移動してきているので、訪問客が乗りかご１０にすぐに乗り込むことができ、乗りかご１０の待ち時間がなくなるため、訪問客はエレベーター８を快適に利用することができる。
【００１８】
上述の一実施形態の集合住宅用防犯システム１では、エレベーター運転制御装置９を機械室２０に設置しているが、これに限定されない。機械室２０のないエレベーター８では、エレベーター運転制御装置９を昇降路内に設置するようにしてもよい。また、住居人用電話機５と共用電話機７を公衆回線６で接続しているが、これに限定されない。住居人用電話機５と共用電話機７を、無線で接続するようにしてもよい。さらに、住居人用電話機は、携帯式の電話機とすることも可能である。
【図面の簡単な説明】
【００１９】
【図１】本発明の一実施形態に係わる集合住宅用防犯システムの概略構成図である。
【図２】本発明の一実施形態に係わる集合住宅用防犯システムに用いられる集合玄関遠隔開錠装置の機能ブロック図である。
【符号の説明】
【００２０】
１    集合住宅用防犯システム
２    オートロックドア
３    集合玄関遠隔開錠装置
４    集合住宅の各住居（自宅）
５    住居人用電話機
６    電気通信回線（公衆回線）
７    共用電話機
８    エレベーター
９    エレベーター運転制御装置
１０  乗りかご
１１  乗りかご内個人認証装置
１２  エレベーター用乗場
１３  乗場用個人認証装置
１４  集合玄関個人認証手段
１５  暗証番号識別手段
１６  ドア開錠処理手段
１７  エレベーター指令送信手段
１８  乗場呼び釦
１９  行先階登録釦
２０  機械室
２１  第１通信線
２２  第２通信線
２３  第３通信線
【図１】
2005212940.tif 000003
【図２】
2005212940.tif 000004